(57)【要約】  本発明は、底板（１１）と、前面パネルと、前面パネルと反対側の後部壁（１５）と、引出し（１０）の移動方向に延び、中空の本体部として実施され、少なくとも端部領域にアダプタを備えている２つの側方パネル（１２，１３）とを含む引出し（１０）に関する。レール（２３）に係合されている支持ホルダ（１４）は、前方アダプタ（１６）に固定されている。支持ホルダ（１４）とレール（２３）との間の少なくとも１つ、あるいは各前側の接続は、連結装置（１７）とレール（２３）の開口部（２７）に係合する弾性のスナップ式ピン（２８）とによって行われる。このように、引出し（１０）を必要に応じて家具の一部から容易に取り外すことができる。【選択図】  図２
2010502329.tif 000002
【特許請求の範囲】
【請求項１】
引出し（１０）であって、
底板（１１）と、前面パネルと、前記引出し（１０）の移動方向に走行し、少なくとも端部領域にアダプタ（１６，３２）を備えている中空の本体部として用いられている２つの側方パネル（１２，１３）を有する、前記前面パネルと反対側にある後部壁（１５）とを有し、支持保持具（１４）が前記前方のアダプタ（１６）に固定されており、前記前方アダプタ（１６）がラッチングによって走行レール（２３）に接続されている引出し（１０）において、
前記支持保持具（１４）と前記走行レール（２３）との間にある少なくとも１つまたは各前方ラッチが、連結装置（１７）と前記走行レール（２３）の開口部（２７）に係合する弾性の留めつまみ（２８）とによって形成されることを特徴とする、引出し。
【請求項２】
前記引出し（１０）を家具本体に前記各連結装置（１７）上で挿入する際に、前記走行レールに対して垂直に、またはほぼ垂直に作用する力が前記連結装置（１７）に作用するように、前記引出し（１０）が１つまたは各連結装置（１７）の作動要素であることを特徴とする、請求項１に記載の引出し。
【請求項３】
前記連結装置（１７）が、連結外側部分（１９）およびその中に挿入可能な連結内側部分（２０）を備えることを特徴とする、請求項１に記載の引出し。
【請求項４】
それぞれ前記連結外側部分（１９）が前記走行レール（２３）の端部領域内に挿入されて固定されており、前記連結内側部分（２０）が前記アダプタ（１６）に固定されている前記支持保持具（１４）に成形されるかまたは取り付けられていることを特徴とする、請求項３に記載の引出し。
【請求項５】
それぞれ前記連結外側部分（１９）が前記支持保持具（１４）に設置されており、前記連結内側部分（２０）が前記走行レール（２３）の端部領域内に挿入され、前記連結外側部分（１９）が好ましくは前記支持保持具（１４）とともに一体式の成形品を形成していることを特徴とする、請求項３に記載の引出し。
【請求項６】
前記走行レール（２３）の長手方向に延びる前記留めつまみ（２８）が、各支持保持具（１４）に成形されていることを特徴とする、請求項１〜５のいずれか一項に記載の引出し。
【請求項７】
前記留めつまみ（２８）が、前記走行レールの中央長手方向軸に向く側に、ラッチ位置で前記走行レール（２３）の開口部（２７）に係合するキャッチラグ（３７）を有することを特徴とする、請求項６に記載の引出し。
【請求項８】
前記留めつまみ（２８）の端部領域、好ましくは前面パネルに向かう端部領域が、凹形で段を付けられており、前記走行レール（２３）とともに前記支持保持具（１４）のラッチ位置で前記開口部（２７）の限界を定めている縁部に載置されていることを特徴とする、請求項６または７に記載の引出し。
【請求項９】
前記引出し（１０）が持ち上げられるときに、前記留めつまみ（２８）を持ち上げることができ、かつ、前記引出し（１０）を強制的に圧出することによって、前記留めつまみ（２８）の前記キャッチラグ（３７）を前記開口部（２７）から移動させることができるような方法で、前記留めつまみ（２８）の段のある端部領域が金属アダプタの縁部を押圧することを特徴とする、請求項６〜８のいずれか一項に記載の引出し。
【請求項１０】
前記連結外側部分（１９）がプラグ状のものとして用いられ、前記走行レール（２３）の前面に対して突出している中空の本体部（２４）を有することを特徴とする、請求項１〜９のいずれか一項に記載の引出し。
【請求項１１】
前記中空の本体部（２４）が、前記連結外側部分（１９）の前記中空の本体部（２４）に係合する前記連結内側部分（２０）のための、前記走行レール（２３）の前記長手方向に延びる案内溝（２６）を有することを特徴とする、請求項１０に記載の引出し。
【請求項１２】
前記案内溝（２６）が、前記中空の本体部（２４）の開口側に向かう方向に延びていることを特徴とする、請求項１１に記載の引出し。
【請求項１３】
前記連結外側部分（１９）の前記中空の本体部（２４）が、前記走行レール（２３）から離れて対向している自由側で開口していることを特徴とする、請求項１０または１１に記載の引出し。
【請求項１４】
前記連結外側部分（１９）の前記中空の本体部（２４）が、凹型で内側に段があり、高い領域が前記中空の本体部（２４）の前記開口側から離れて対向しており、前記連結内側部分（２０）のための停止面（２５）を形成することを特徴とする、請求項１〜１３のいずれか一項に記載の引出し。
【請求項１５】
前記連結外側部分（１９）の主要な断面が、矩形管のように、好ましくは正方形管のように成形されていることを特徴とする、請求項１〜１４のいずれか一項に記載の引出し。
【請求項１６】
少なくとも前記連結外側部分（１９）の前記中空の本体部（２４）が、内側に押込み傾斜面（３３）を備えていることを特徴とする、請求項１〜１５のいずれか一項に記載の引出し。
【請求項１７】
前記案内溝（２６）が、前記連結外側部分（１９）の前記中空体部分（２４）の上壁部または下壁部に設けられていることを特徴とする、請求項１〜１６のいずれか一項に記載の引出し。
【請求項１８】
前記プラグの形をした前記連結外側部分（１９）が、固定されている前記走行レール（２３）に挿入される挿入ピン（２１）であることを特徴とする、請求項１〜１７のいずれか一項に記載の引出し。
【請求項１９】
前記連結内側部分（２０）がＴ溝ナット状に設計され、前記走行レール（２３）の長手方向に見て凹形であり段を複数回つけられていることを特徴とする、請求項１に記載の引出し。
【請求項２０】
前記ナット状の連結内側部分（２０）が、２つの端部段（２９、３０）と、１つの中間段および／または中間部分（３１）とを備えることを特徴とする、請求項１９に記載の引出し。
【請求項２１】
前記支持保持具１４に向かうかまたは離れて対向している端部分（２９）が、前記中空の本体部（２４）の前記案内溝（２６）に係合し、反対側の端部分（３０）が、前記中空の本体部（２４）の内部チャンバに係合していることを特徴とする、請求項１〜２０のいずれか一項に記載の引出し。
【請求項２２】
前記連結内側部分（２０）の前記中間部分（３１）および／または中間段が、楔形のように設計され、先端部が前記連結外側部分（１９）の前記中空の本体部（２４）の開口部から離れて対向していることを特徴とする、請求項１〜２１のいずれか一項に記載の引出し。
【請求項２３】
前記連結内側部分（２０）の前記中間部分（３１）の傾斜角が、前記案内溝（２６）の傾斜角に対応しているか、またはほぼ対応していることを特徴とする、請求項１〜２２のいずれか一項に記載の引出し。
【請求項２４】
前記押込み傾斜面（３３）が、深さ全体にわたって、あるいは、前記連結外側部分（１９）の中空の輪郭部（２４）の開口側に対向する領域にわたって延びていることを特徴とする、請求項１〜２３のいずれか一項に記載の引出し。
【請求項２５】
前記連結内側部分（２０）が、前記連結外側部分（１９）の拘束表面（３３）に対応する傾斜表面（３６）を備えていることを特徴とする、請求項２４に記載の引出し。
【請求項２６】
前記引出し（１０）が、前記走行レール（２３）に設置されているフック（３４）によって、好ましくはＣ形状のフックによって、前記後部壁の領域に固定されていることを特徴とする、請求項１〜２５のいずれか一項に記載の引出し。
【請求項２７】
少なくとも１つの減衰要素（３８）が、前記連結内側部分（２０）および前記連結外側部分（１９）の直径方向に向かい合う前面すなわち接触面に互いに設置されていることを特徴とする、請求項１〜２５のいずれか一項に記載の引出し。
【請求項２８】
前記減衰要素（３８）が、前記連結内側部分（２０）および前記連結外側部分（１９）の両方に設けられていることを特徴とする、請求項２７に記載の引出し。
【請求項２９】
前記減衰要素（３８）または前記複数の減衰要素（３８）が、弾性プラスチックまたはばねなどを備える、請求項２７または２８に記載の引出し。
【発明の詳細な説明】
【技術分野】
【０００１】
本発明は、底板と、前面パネルと、引出しの移動方向に走行し、少なくとも端部領域にアダプタを備えている中空の本体部として実施されている２つの側方パネルを有する、前面パネルと反対側の後部壁とを有し、支持保持具が前方アダプタに固定されており、前方アダプタはラッチングによって走行レールに接続されている、引出しに関する。
【背景技術】
【０００２】
考察中の引出しは、家具本体において使用される。側方パネルは、この引出しの側方の限界部をなし、後部壁および前面パネルは側方パネルに対して横方向であり、底面に対して垂直である。これらの引出しは、たとえば厨房用家具、居間用家具、寝室用家具など、さまざまなタイプの家具においてそのものを実証してきた。
【０００３】
このタイプの家具はまた、特に、いわゆる現金払いストアにおいて分解された状態で販売される。ついで、この家具は一般的に、購入者自身によって組立てられる。家具および／または引出しなど等の家具の構成部品は、これらの条件を考慮して設計されなければならない。
【０００４】
前方ラッチ、すなわち、支持保持具と走行レールとの間にある、前面パネルに向いているラッチが有利である、というのは、これらのラッチの構造上の設計のために、それに応じた組立てが自然に生じるである。
【０００５】
ラッチは、様々な実施形態で知られている。しかし、これらのすでに知られている実施形態では、引出しを家具本体に挿入するために、または様々な実施形態では取り外すためには、キャッチ手段が押圧されなければならないことが必要であり、そのためラッチングが解放される。キャッチ手段は、引出しの側方パネルの両側に設置されており、一般的に押圧されなければならない。さらに、工具は、ラッチを解放して、引出しと家具本体との間にある中間の空間に到達するために必要である。さらに、使用者は、どの位置で工具が利用されるべきであるか、かつ／または、どの位置にアンロッキング機構が設置されているかをたいてい認識できない。
【０００６】
特に引出しを取り外す際、家具本体に引出しを案内する構成部品に損傷が容易に生じ得る。かかる場合、引出しを家具本体に戻して挿入することが出来なくなるであろう。
【発明の概要】
【発明が解決しようとする課題】
【０００７】
本発明は、少なくとも家具本体から引出しを取り外すのにラッチを解放するために、工具などの補助器具が必要とならないような方法で、冒頭でより詳細に記載されているタイプの引出しを設計する目的に基づくものであり、引出しの後退および延長をよく知られている方法で行うことが可能であることを保証するものである。
【課題を解決するための手段】
【０００８】
この明示された目的は、支持保持具と走行レールとの間にある各前方ラッチが連結装置と走行レールの開口部に係合する弾性の留めつまみとによって形成されるという、第１の提案によって解決される。
【０００９】
連結装置は、引出しを後退させたり延長したりするために、通常の操作状態で互いに係合されている２つの連結部分を備える。しかし、引出しが家具本体から取り外されることになると、このことは、延長方向に対して直角である垂直方向に上方に連結装置に及ぼす力作用によって行われるので、より詳細に説明されるように２つの部分は分離する。少なくとも１つの連結部分の移動性のために引出しが一方向に固定されるだけであるので、留めつまみは、留めつまみが連結装置の固定方向に対して直角に走る方向に引出しを固定するような方法で、設置され設計される。さらに、連結装置および留めつまみは、連結装置が分離される場合に留めつまみが開口部から出てくるような方法で互いに適合される。
【００１０】
走行レールに対して垂直に、またはほぼ垂直に作用する力が、家具本体から引出しを取り外すために各連結装置に作用するように、引出しが各連結装置の作動要素となる場合、連結装置を分離するのに必要な力は、第１の解決策および／または第２の提案として最も簡潔な方法で加えられてもよい。結果として生じるレバーアームによって、引出しに作用する比較的小さな力で十分である。
【００１１】
連結装置が、そこに連結位置で係合されることの可能な連結外側部分および連結内側部分を含む場合、単純な設計を持つ解決策が達成される。したがって、適度な加力を使用して、各連結装置を連結したり分離したりすることができる。その上、２つの連結部品はそれに応じて、連結位置において互いに形状が適合している。
【００１２】
さらに、解決策がなお単純な設計を有するのは、それぞれ、連結外側部分が永久に走行レールの端部領域内に挿入されており、連結内側部分がアダプタに固定されている支持保持具に成形されるかまたは適用されている場合である。前述の解決策と反対に、連結外側部分がアダプタに固定されている支持保持具に成形されるかまたは適用され、連結内側部分が走行レールの端部領域に挿入されて、前面に対して突出している。このことが特に有利となるのは、連結外側部分がまたさらに弾力的に変形可能である中空の本体部を持つ場合である。
【００１３】
連結外側部分が走行レールに挿入される場合、連結外側部分はプラグのように設計される。走行レールに挿入された連結部分は、固定部分のように見えることになる。というのは、引出しを持ち上げるときに、支持保持具に成形されるかまたは適用される連結部分が延長方向に移動するので、引出しも移動し、そのため引出しの走行レールとの分離またはラッチングがそれぞれ外されるような方法で、連結外側部分および連結内側部分の設計が選択されるからである。
【００１４】
走行レールからの引出しの分離、あるいは走行レールへの引出しのラッチングはそれぞれ、この設計によって最も簡単な方法で達成される。
【００１５】
引出しは、連結装置によって垂直方向に固定される。しかし、延長方向にも固定するために、走行レールの長手方向に延びる留めつまみが、各支持保持具に成形されている。この留めつまみは、端部領域に、好ましくは引出しの前面パネルに対向する端部領域に、かつ、走行レールから離れて向かう側に段のあるように、端部領域が案内レールに係合位置で載置され、段が停止部に、好ましくはアダプタの縁部に衝突するような方法で実施される。このようにして、走行レールに対する引出しの移動を防ぐ。
【００１６】
留めつまみの段のある端部領域までの比較的短い距離に、留めつまみは走行レールの開口部に係合するキャッチラグを備えている。掛け金をかけられた状態では、段形状部に対向する縁部は、開口部の限界を定めている縁部までわずかな距離にある。引出しが家具本体から少なくとも前面パネルの幅だけ引抜かれる場合、引出しが持ち上げられてもよく、これによって留めつまみもまた変形する。持ち上げられることによって引出しが家具本体からさらに遠くに押圧されるので、留めつまみはまた、キャッチラグが固定されなくなる、すなわち、キャッチラグが開口部から引抜かれるような方法で、段のある設計によってなお変形し、そのため、引出しが家具本体から続いて取り外されることができる。したがって、引出しの挿入が挿入運動によって排他的に行われ、ラッチングが自動的に生じる。
【００１７】
中空の本体部の弾性を与えるために、本体部は、走行レールの長手方向に延びる案内溝を有し、このレールは、さらに、中空の本体部に係合する連結内側部分のためのガイドとして使用される。案内溝は、中空の本体部の自由端に向かう方向に伸長する。より詳細に記載するように、連結内側部分は、連結外側部分と連結内側部分との間を損傷の危険性なく分離することができるような方法で設計される。この分離を可能にするために、連結外側部分の中空の本体部は、走行レールから離れて対向している自由側で開口している。
【００１８】
連結内側部分を連結外側部分に対して連結位置で機能的に正確に位置決めすることができるために、連結外側部分の中空の本体部は、凹型で内側に段があり、高い領域が中空の本体部の開口側から離れて対向しており、連結内側部分のための停止面を形成する。連結位置では、連結内側部分はこの停止面に衝突する。
【００１９】
有利にも、減衰要素が連結内側部分および連結外側部分の表面間に互いに向かい合って設けられてもよい。したがって、たとえば減衰部分が連結内側部分または連結外側部分に設けられてもよい。連結内側部分と連結外側部とに減衰要素を設置することもまた、考え得ることであり、減衰要素の利点は、一方のキャッチラグとこのキャッチラグの反対側の縁部と間の、キャッチラグが係合する開口部の限界を定める設計によって必要である短い距離によって生じ得る、引出しを素早く開口する場合の衝突音が、回避されるかまたは大幅に低減することである。
【００２０】
したがって、連結内側部分が連結外側部分の中空の本体部に形状を適合する方法または形状を終端させる形で係合するために、連結外側部分の中空の本体部の主要な断面は、矩形管のように、好ましくは正方形管のように設計される。自由空間を連結内側部分に設けるために、少なくとも連結外側部分の中空の本体部は、内側に押込み傾斜面を備えている。これらの押込み傾斜面は、引出しを持ち上げて走行レールを支持部分から分離する際、支持部分およびしたがって引出しが押込まれて延長方向に移動するような方法で互いに対して設置され、同時に留めつまみが開口部から出てくるので、持ち上げられた後、引出しは家具本体から取り外されることができる。したがって、連結内側部分および／または支持保持具は、引出しを持ち上げる間、固定された走行レールに対して相対運動を行う。家具本体へ引出しを挿入する際、留めつまみは運動終了後に開口部に係合するので、走行レールは、引出しの後退および延長に伴って同期して運ばれる。挿入すると、引出しが走行レールをスライドし、後端は自動的に固定されている。引出しは、より詳細に説明されるような方法で後部壁の領域にさらに固定され、これらの構成部品は、走行レールから引出しを分離するとこれらの構成部品が損傷を受けないように設計されている。
【００２１】
連結外側部分を案内レールの内部チャンバに簡単に固定するために、このプラグ状の連結外側部分は、走行レールに挿入される挿入ピンを備えており、挿入ピンは安全ねじのための横孔を有する。
【００２２】
引出しと走行レールとの間の接続が、通常の操作で常に固定され、接続が容易に分離されて家具本体から引出しを取り外することができるために、連結内側部分はＴ溝ナット状に設計され、走行レールの長手方向に見て凹形であり段を複数回つけられている。好ましい実施形態では、Ｔ溝ナット状に成形された連結内側部分は、２つの端部段および１つの中間段を含む。支持保持具に対向しているか、あるいは離れて対向している端部は、中空の本体部内でガイドとして使用され、反対側の端部および／または反対側の端部段は、反対側の端部および／または反対側の端部段が中空の本体部の案内溝に係合するような方法で設計されている。中空の本体部が分離する際に損傷を受けるであろう既存の危険性なしで、接続を外すことのできるような方法で、中間部分が設計されている。
【００２３】
連結外側部分と内側部分との間の分離を容易にするために、さらに提供されるのは、連結内側部分の中間部分および／または中間段が、楔形のように設計され、先端部が連結外側部分の中空の本体部の開口部から離れて対向していることである。好ましい一実施形態では、傾斜角は、連結外側部分の案内溝の傾斜角に対応する。
【００２４】
すでに述べてきたように、連結外側部分の中空の輪郭部は、深さ全体にわたって、あるいは中空の輪郭部の開口側に対向する領域にわたって延びていてもよい、内部の押込み傾斜面を備えている。あらゆる実施形態において、引出しが持ち上げられるときに押込み傾斜面が延長方向に自動的に移動するような方法で、押込み傾斜面は設計されている。すべての実施形態において、連結外側部分のこれらの押込み傾斜面は、案内溝に機能的に設定されている。
【００２５】
この案内溝が支持保持具に対向する側にある場合、押込み傾斜面は、中空の本体部の反対側の壁までの距離を増加させる。案内溝が支持保持具から離れて対向する側にある場合、中空の本体部の反対側の壁までの距離は、開口側に向かう方向に減少する。この場合、連結内側部分は、押込み傾斜面に対応する傾斜表面を備えている。
【００２６】
すでに述べてきたように、引出しは後端で固定されているので、後退および延長の時に傾斜運動が回避される。最も単純な実施形態において、走行レールに設置されているフックによって、引出しが後部壁の領域に固定されている。これらのフックは、引出しを家具本体から取り外すか、または挿入するときにフックが損傷を受けないような方法で、好ましくはＣ形状に設計される。フックによって形成されるポケットが、引出しの前面パネルに向かう方向に開口している。したがって、これらのフックは、走行レールの長手方向に走る。
【００２７】
本発明を、添付の図面に基づいてより詳細に説明する。
【図面の簡単な説明】
【００２８】
【図１】本発明による、前面パネルを取り外した、前側に向いている引出しの斜視図である。
【図２】分離された状態であるが、連結外側部分が走行レールに挿入されている、支持保持具を有する走行レールの斜視図である。
【図３】図２に対応するが、連結内側部分が連結外側部分に挿入されている図である。
【図４】掛け金をかけられた状態での支持部分を有する走行レールを示す図である。
【図５】図４に対応するが、拡大された図である。
【図６】図４に対応するが、走行レールから支持保持具を分離する第１のステップを示す図である。
【図７】図６に対応するが、拡大された図である。
【図８】図４に対応するが、掛け金を外された位置を示す図である。
【図９】図８に対応するが、拡大された図である。
【図１０】掛け金をかけられた支持保持具を有する走行レールを示す断面図である。
【図１１】図２に対応するが、連結装置が鏡像の構成で設計されている図である。
【図１２】図３に対応するが、連結装置が鏡像の構成で設計されている図である。
【図１３】掛け金をかけられた状態のばねつまみを示す、図１０による細部XIIIを示す拡大図である。
【図１４】本発明のさらなる例示的実施形態による、掛け金をかけられた支持保持具を備えた走行レールの前端領域の断面図である。
【発明を実施するための形態】
【００２９】
本発明が基礎とする概念を説明する目的のために、引出し１０の前面パネルは図１に示されていない。引出し１０は、底面１１、２つの側方パネル１２、１３、および後部壁１５を備える。図１に明確に示されているように、側方パネル１２、１３は、中空の本体部を含み、底面１１はそれに固定されて接続されている。図４から図１０に基づいてより詳細に述べるように、パネルおよび／または引出しは、走行レール２３に着脱可能に接続されている。走行レールは、引出し１０の延長後退運動に追従する。走行レール２３は２つの側方延長ガイドに連結され（図示せず）、少なくとも１つのさらなる案内レールが、家具本体に固定して設置されている。
【００３０】
アダプタが、各側方パネル１２、１３の内部に挿入されている。アダプタは、支持保持具を支え、前面パネルに固締されている前面パネル保持具が支持保持具に挿入され、好ましくは、ラッチングによって挿入されている。支持保持具１４と走行レールとの間の接続は、いずれの場合においても連結装置１７によって行われ、連結装置１７は図２および図３にさらに詳細に示されている。
【００３１】
図２は、支持保持具１４がアダプタ１６に挿入されていることを示している。前面パネル保持具は、前面パネルの向きを定めるための２つのアライメントねじ１８を備えている。連結装置１７は、連結外側部分１９および連結内側部分２０を備える。図２による実施形態では、連結外側部分１９が挿入ピン２１（図１０）を備えており、連結外側部分１９は走行レールの端部領域に挿入されて固定される。
【００３２】
連結外側部分１９は、走行レール２３の前面に対して突出している中空の本体部２４を有し、本体部２４は、図示されている例示的実施形態では主要な断面図が矩形管である。特に図２に示されているように、中空の本体部２４の下面は凹んで段が付けられているので、連結内側部分２０のための停止面２５が形成される。連結外側部分１９は頂部側にさらに案内溝２６を備えており、案内溝２６は中空の本体部２４の開口部に向かって展開している。図２にも示されているように、案内レール２３は頂部側に矩形の開口部２７を備えており、この開口部２７に支持保持具１４の弾性の留めつまみ２８が係合する。したがって、引出し１０は、引抜き方向および挿入方向に固定され、かつ／または固定される。後述するように、掛け金をかけられた状態では、引出し１０は連結装置１７によって垂直方向に固定される。
【００３３】
連結内側部分２０は、図２および図３による実施形態において、支持保持具１４とともに一体式のプラスチック成形品を形成している。連結内側部分２０は、底面１１の高さをほぼ超えて延びている。図示されている例示的実施形態では、連結内側部分２０はまた、段があるように実施されており、連結内側部分２０は、２つの端部分２９、３０と、中間部分３１とを備える。支持保持具１４に向いている上端部３０は、案内溝２６の限界を定める２つのウェブまでの距離が最も短いので、上端部３０をガイド要素として見てもよい。支持保持具１４から離れて向いている端部２９は、中空の本体部２４の内部チャンバの幅に対応する幅を有するので、この端部分もまた、ガイド要素として見てもよい。案内レール２３に向いている端部分２９の表面は、連結内側部分２０が連結外側部分１９に挿入されるときに停止面２５を押圧し、留めつまみが最終位置に達する直前には留まっている。図２もまた示しているように、中間部分３１部は楔形のように実施され、先端部は案内レール２３の方に向いている。この傾斜角は、案内溝２６の傾斜角に対応しているか、またはほぼ対応している。
【００３４】
図３は、連結装置１９を介した引出し１０の走行レール２３への接続を示している。この図が示しているのは、支持保持具１４に向いている端部分３０が案内溝２６に係合しており、反対側の端部分２９および中間部分３１が、中空の本体部２４の内部チャンバに位置していることである。中空の本体部２４および連結内側部分２０の外側の自由前面は、互いに位置合わせされている。
【００３５】
図４から図１０が示しているのは、後部壁１５に設定されている走行レール２３の端部がまた、アダプタ３２を備えていることである。図示している実施形態とは対照的に、前方領域と後方領域との間に１つ以上のアダプタを設置してもよい。図２がさらにまた示しているのは、内部に位置し開口側部に傾斜表面３３として実施されるウェブを位置決めすることによって、案内溝２６が限界を定められることである。
【００３６】
図４から図９は、引出し１０を係止するためにフック３４が後方および走行レール２３の領域に設けられていることを示している。図示されている例示的実施形態では、フック３４はＣ形状である。
【００３７】
図４から図９がさらに示しているのは、各支持保持具１４が弾性の留めつまみ２８を備えており、留めつまみ２８が掛け金をかけられた状態で開口部２７のラグを使用して係合することである。引出し１０が掛け金をかけられると、引出し１０が走行レール２３に対して延長方向に移動できないような方法で、留めつまみ２８が設計されている。ロッキングは、連結装置１７によって他の方向に行われる。
【００３８】
図４および図５は、走行レール２３を備えた掛け金をかけられた状態の引出し１０を示している。図６および図７は、家具本体から引出し１０を取り外すために中間位置にある引出し１０を示している。この位置では、引出し１０は、少なくとも前面パネルの厚さだけ家具本体から引抜かれる。引出しは、手動で加えられた適切な力によって、走行レールに対してわずかに上方へ移動し、案内溝２６に隣接している中空の本体部２４の領域が特に変形する。さらに、留めつまみ２８がすでに開口部２７から抜き取られているので、家具本体から引出し１０をさらに引抜き、中空の本体部２４をさらに変形させることによって、引出し１０が走行レール２３から外れ、かつ／または２つの側方走行レール２３から外れ、そのために、図１３に基づいて後述するように引出しが解放される。フック３４によって限界を定めるポケットが、前面パネルに向かって開口しているので、引出し１０を引抜くことは妨げられない。
【００３９】
引出し１０を走行レール２３に配置し、押込むことによって、引出し１０が家具本体に挿入される。
【００４０】
図１０は、断面図でのアダプタ１６および３２と、前方の支持保持具１４とを有する走行レールを示している。したがって、連結外側部分１９の挿入ピン２１が走行レール２３に挿入されて走行レールを終端させ、適した手段によって固定されることは明らかである。さらに、この図は、引出し１０が後方領域にフック３４によって固定され、留めつまみ２８が係合して開口部２７でロックする方法を示している。
【００４１】
図１１および図１２は、図２および図３に対応する図を示しているが、連結外側部分１９は支持保持具１４に設定され、それに応じて、連結内側部分２０は走行レール２３に設定されている。図１１が示しているように、連結外側部分は押込み傾斜表面３３を備えており、押込み傾斜表面３３は、ここでは底面にある案内溝２６に順番に設定される。反対側の壁までの距離もまた、減少する。さらに、図１１は、連結内側部分２０が、対応する傾斜表面３６を備えていることを示している。対向するウェブは省かれていてもよい、というのは、連結外側部分１９内に案内する側方部は、端部分２９の楔形の設計で設けられているからである。
【００４２】
図４および図５は、走行レール２３に接続されている引出し１０を示している。連結内側部分２０は、連結外側部分１９の停止面２５に衝突している。狭い端部分３０は、案内溝２６内に案内されている。留めつまみ２８のラグが、開口部２７に係合している。パネル１２、１３は押圧されて、後方領域に設置されているＣ形状のフック３４の下にある。パネル１２、１３がフック３４に挿入方向に接触しないような方法で、フック３４が設計されている。
【００４３】
図６および図７は、引出し１０を家具本体から取り外す第１のステップを示している。中空の本体部２４は、連結内側部分２０の中間部分３０によって、引出し１０を持ち上げることによる上方に向けられた垂直力で弾力的に伸長される。下端部分２９は、拘束表面３３と接触しているので、引出し１０が走行レール２３に対してさらに引抜き方向に移動する。弾性の留めつまみ２８のキャッチラグ３７は、開口部２７から引抜かれており、引出しの取り外し縁部に載置されている自由に揺動する端部を有するので、留めつまみ２８のつまりや、引っ掛け、損傷を防ぐことができる。上述の解決策において有利となるのは、たとえば、つまりを防ぐために引出し１０を固定することである。さらに、短い取り外し用の路が極めて有利となる。
【００４４】
図８および図９は、引出し１０を家具本体から取り外す次のステップを示している。後部壁１５に設定されている各パネル１２、１３の各部品は、フック３４の領域から引抜かれている。ここでは、引出し１０は、完全に家具本体から引抜かれていてもよい。引出し１０の後方領域は、走行レール２３をスライドするので、家具本体から取り外す時や家具本体へ挿入する時のフック３４への損傷が、効果的に回避される。
【００４５】
図１３は、走行レール２３と接続している支持保持具１３の詳細な拡大図を示している。したがって、キャッチラグ３７は、図示されているラッチ位置では開口部２７に完全に係合しており、弾性の留めつまみ２８に走行レール２３の中央長手方向軸に向く側に成形されている。弾性の留めつまみ２８は、凹形で、端部領域に、好ましくは前面パネルに向かう端部領域に段を付けられており、この領域は走行レールに載置されている。段のある設計で形成される縁部は、金属アダプタの持ち上げ縁部の前に位置する。図１３が明確に示すように、段のある端部領域に設定されているキャッチラグ３７の縁部は、開口部の限界を定めている縁部から比較的短い距離にある。
【００４６】
図１３から理解されるであろうことは、引出し１０を持ち上げる時に、段のある端部領域を有するばねつまみ２８が上方へ移動することである。引出し１０の連結装置１７が、引出し１０を持ち上げる時にすでに記載されている設計によって自動的に引抜き方向に移動するので、段のある端部領域が十分に変形してキャッチラグ３７が開口部２７から出て、そのために、ついで、走行レール２３を固定したまま、引出し１０を家具本体から取り外すことができる。さらに、図１３から起こるのは、引出しを家具本体に挿入する時、キャッチラグ３７が開口部２７の領域に入るとすぐに、留めつまみ２８が図示されている位置に戻って移動することである。キャッチラグ１７の前方縁部と、キャッチラグ１７に向かい開口部２７の限界を定める走行レール２３の縁部との距離は、ロックを外すことができるよう、必要である。
【００４７】
図１４が示しているのは、たとえば、弾性プラスチックからできているか、またはばねなどの形で製作される減衰要素３８が、連結外側部分１９上に取り付けられていることである。この減衰要素３８は、連結内側部分２０の接触面の反対側にある。
【００４８】
引出しを素早く開けるときに生じ得る衝突音は、この減衰要素３８によって防止することができるか、あるいはかなり低減することができるので、衝突音は不愉快であるとほとんど感じられない。
【００４９】
当然ながら、減衰要素３８を、連結内側部分２０に、またはそこの代わりに、連結部分１９および２０の両方に取り付けることもまた可能である。
【００５０】
本発明は、示されている例示的実施形態に限定されるものではない。必須であるのは、中空の本体部２４を有するプラグおよび／または連結外側部分１９が、前面パネルに向かう側で走行レール２３にそれぞれ挿入され、中空の本体部２４の内部で連結内側部分２０が掛け金をかけられた状態で挿入され、引出し１０を取り外すために、この中空の本体部２４は、連結内側部分２０を通って引出しに作用する力によって損傷することなく、連結外側部分１９から分離可能であることである。
【図１】
2010502329.tif 000003
【図２】
2010502329.tif 000004
【図３】
2010502329.tif 000005
【図４−５】
2010502329.tif 000006
【図６−７】
2010502329.tif 000007
【図８−９】
2010502329.tif 000008
【図１０】
2010502329.tif 000009
【図１１】
2010502329.tif 000010
【図１２】
2010502329.tif 000011
【図１３】
2010502329.tif 000012
【図１４】
2010502329.tif 000013
【国際調査報告】
2010502329.tif 000014
2010502329.tif 000015
2010502329.tif 000016
2010502329.tif 000017